(57)【要約】【課題】  電子メールや掲示板情報の利用における利便性を向上させるとともに、ネットワークにおける輻輳を軽減する構内通信システムを提供する。【解決手段】  集合住宅等の建物構内に敷設されるネットワークＬを介して、このネットワークＬにおける帯域情報を管理する帯域制御機能を有してなるサーバ装置１と建物各所に設置される情報管理端末２とを接続し、ＩＰプロトコルを用いてデジタル多重伝送を行うようにした構成の構内通信システムであって、サーバ装置１には、制御動作を規定した帯域制御規則に基づき帯域制御を行う帯域制御手段と、電子メールの送受信にかかるメールサーバ手段と、新着メールが到着すると宛先となる情報管理端末に電子メールの到着を知らせる新着メールイベント通知手段とを備える。【選択図】図１
2008295095.tif 000002
【特許請求の範囲】
【請求項１】
集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、
サーバ装置には、構内ネットワークの帯域情報を管理する機能を備え制御動作を規定した帯域制御規則に基づき帯域制御を行う帯域制御手段と、電子メールの送受信にかかるメールサーバ手段と、新着メールが到着すると宛先となる情報管理端末に電子メールの到着を知らせる新着メールイベント通知手段とを備えてなり、
帯域制御手段は、新着メールが到着すると、新着メールイベントを宛先となる情報管理端末に通知する前に、ネットワークの現帯域情報を参照し、帯域制御規則に基づき帯域が或る限界値以上になった場合は、新着メールを送信してきた前記情報管理端末の通信要求を拒否することにより、使用帯域を制限するものであり、
情報管理端末から定期的に電子メールの到着をメールサーバ手段に問い合わせずに、帯域制御手段から情報管理端末へ新着メールイベントを通知することを特徴とする構内通信システム。
【請求項２】
集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、
サーバ装置には、構内ネットワークの帯域情報を管理する機能を備え制御動作を規定した帯域制御規則に基づき帯域制御を行う帯域制御手段と、構内で情報を共有する掲示板情報を表示するためのＨＴＴＰサーバ手段と、掲示板情報が更新されると宛先となる情報管理端末に掲示板情報の更新を知らせる掲示板更新イベント通知手段とを備えてなり、
帯域制御手段は、掲示板情報がサーバ装置でアップロードされると、掲示板更新イベントを宛先となる情報管理端末に通知する前に、ネットワークの現帯域情報を参照し、帯域制御規則に基づき帯域が或る限界値以上になった場合は、掲示板閲覧を要求する前記情報管理端末の通信要求を拒否することにより、使用帯域を制限するものであり、
掲示板更新の成否を掲示板更新イベント通知手段に情報管理端末から定期的に問い合わせずに、帯域制御手段から情報管理端末へ掲示板更新イベントを通知することを特徴とする構内通信システム。
【請求項３】
前記情報管理端末に、イベントを受信するイベント受信手段と、到着したイベントを解析し報知するイベント報知手段とを設け、前記新着メールイベント通知手段または前記掲示板更新イベント通知手段により新着メールイベントまたは掲示板更新イベントが通知されると、情報管理端末は到着したイベントを解析しそのイベントの情報を報知することを特徴とする請求項１または２に記載の構内通信システム。
【請求項４】
請求項１乃至３の構内通信システムであって、
サーバ装置には、構内ネットワークの帯域情報を管理する機能を備え制御動作を規定した帯域制御規則に基づき帯域制御を行う帯域制御手段と、時刻情報を送信する時刻情報送信手段とを備えるとともに、情報管理端末には時刻情報に基づき時刻を調整する時刻調整手段を備えてなり、
前記時刻情報送信手段は、時刻情報を宛先となる情報管理端末に送信する前に、ネットワークの現帯域情報を参照し、帯域制御規則に基づき帯域が或る限界値以上になった場合は、その時刻情報の通信を中止することにより、使用帯域を制限することを特徴とする構内通信システム。
【請求項５】
請求項１乃至４の構内通信システムであって、
サーバ装置には、構内ネットワークの帯域情報を管理する機能を備え制御動作の優先度を規定した帯域制御規則と検査コマンド送信手段を備えるとともに、情報管理端末には端末内の動作を検査する自己検査手段とを備えてなり、
前記検査コマンド送信手段は、検査コマンドを宛先となる情報管理端末に送信する前に、ネットワークの現帯域情報を参照し、帯域制御規則に基づき帯域が或る限界値以上になった場合は、検査コマンドの通信を中止することにより、使用帯域を制限することを特徴とする構内通信システム。
【請求項６】
集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、
サーバ装置には、
構内ネットワークの帯域情報を管理する機能を備え制御動作を規定した帯域制御規則に基づき帯域制御を行う帯域制御手段と、
電子メールの送受信にかかるメールサーバ手段と、新着メールが到着すると宛先となる情報管理端末に電子メールの到着を知らせる新着メールイベント通知手段と、
構内で情報を共有する掲示板情報を表示するためのＨＴＴＰサーバ手段と、掲示板情報が更新されると宛先となる情報管理端末に掲示板情報の更新を知らせる掲示板更新イベント通知手段と、
時刻情報を送信する時刻情報送信手段と、検査コマンド送信手段と、を備え、
情報管理端末には、時刻情報送信手段から得られる時刻情報に基づき時刻を調整する時刻調整手段と、端末内の動作を検査する自己検査手段とを備えてなり、
帯域制御手段は、
新着メールが到着すると、ネットワークの現帯域情報を参照するとともに、帯域制御規則に基づき新着メールイベントを宛先となる情報管理端末に通知するのみならず、さらに、情報管理端末から定期的に電子メールの到着をメールサーバ手段に問い合わせずに、帯域制御手段から情報管理端末へ新着メールイベントを通知するものであり、
掲示板更新イベント通知手段は、掲示板情報がサーバ装置でアップロードされると、ネットワークの現帯域情報を参照するとともに、帯域制御規則に基づき掲示板更新イベントを宛先となる情報管理端末に通知するのみならず、さらに、掲示板更新の成否を掲示板更新イベント通知手段に情報管理端末から定期的に問い合わせずに、帯域制御手段から情報管理端末へ掲示板更新イベントを通知するものであり、
前記時刻情報送信手段は、時刻情報を送信する前にネットワークの現帯域情報を参照するとともに、前記帯域制御規則に基づいて時刻情報を送信するものであって、
前記検査コマンド送信手段は、検査コマンドを送信する前にネットワークの現帯域情報を参照するとともに、前記帯域制御規則に基づいて検査コマンドを送信するものであり、
前記帯域制御規則として、情報管理端末宛てに配信する情報であるユーザー系イベントと、サーバ装置で発行するコマンドに含まれる情報であるサーバー系イベントと称する２種の規則化済みのイベント体系を記憶しており、
ユーザー系イベントとしては、火災感知器で感知した火災感知情報を基にした火災感知イベントを、最優先イベントである第一優先度のイベントとし、第一優先度のイベントの次点の優先度を与える第二優先度のイベントを、ドアホンによる来客報知イベントとし、第二優先度のイベントの次点の優先度を与える第三優先度のイベントを、構内のロビーに設置される監視カメラによる監視カメラ映像イベントと、棟内での前記情報管理端末どうしの間のチャットによるチャットイベントとし、第三優先度のイベントの次点の優先度を与える第四優先度のイベントを、掲示板を閲覧したい旨の掲示板閲覧イベントと、電子メールを閲覧したい旨の電子メール閲覧イベントとし、第四優先度のイベントの次点の優先度を与える第五優先度のイベントを、インターネットを使用したい旨のインターネット閲覧イベントとし、
サーバー系イベントとしては、前記第三優先度と同じ優先度として、サーバー装置に新着メールイベントが到着したことをあらわす新着メールイベントを、前記第四優先度と同じ優先度として、掲示板情報が更新されたことをあらわす掲示板更新イベントと、検査コマンドを発行する旨の検査コマンドイベントと、時刻を調整する旨の時刻調整イベントとの各種イベントを、それぞれ設定されており、
帯域制御手段は、上記各種イベントを宛先となる情報管理端末に送信する前に、ネットワークの現帯域情報を参照し、帯域制御規則に基づき帯域が或る限界値以上になった場合は、第一優先度から第五優先度までの優先順位に基づき、既に通信中のイベントに比べて新たなイベントの優先順位が高ければ、当該新たなイベントを実行する一方で、既に通信中のイベントに比べて新たなイベントの優先順位が等しいもしくは低ければ、当該新たなイベントの実行を拒否又は延期することにより、使用帯域の限界値超過を防止することを特徴とする構内通信システム。
【発明の詳細な説明】
【技術分野】
【０００１】
本発明は、集合住宅等の建物構内で利用される、映像や音声などの情報を通信する構内通信システムに関するものである。
【背景技術】
【０００２】
近年、情報通信インフラの充実に対応し、マンションなどの集合住宅などの建物構内においても、Ｅｔｈｅｒｎｅｔ（登録商標）をベースとした１００ＢＡＳＥ−Ｔ等のネットワークケーブルが敷設され、各住戸においてインターネットと２４時間常時接続される環境が提供されるインターネットマンションと呼ばれる集合住宅が出現してきている。このような集合住宅では、マンション内の住戸の各部屋にまで張り巡らされた配線がハブやルータなどのネットワーク機器により集約されるとともに、インターネットに通じる公衆回線網との境界にゲートウェイと呼ばれるサーバ装置が設けられマンション内外に通信するデータを適宜中継変換するようになっている。
【０００３】
また、インターネットマンションと呼ばれるマンションの中には、各住戸が常時高速なネットワークにより接続されている利点を活かして、マンションの集合玄関に設けられたロビーインターホンでのカメラモニタによる来客映像及び通話音声の情報や、共用スペースに設けられた共用部カメラの映像の情報を、住戸内に設置されるテレビドアホンなどを内蔵した情報端末で確認できるサービスが提供されるものもある。また、管理会社がマンション内にＷＥＢサイトを開設し、電子掲示板などのマンション内の情報交換の場を提供するようなサービスを提案しているものもある。これらサービスは、住人から好評を博している。一方、マンション内にこのようなネットワークを構築することは、住人側のみならず管理会社やマンションのオーナー側にとってもメリットがある。例えば、資産面でマンションの付加価値を高めるのみならず、運用面でも電子メールやＷＥＢ上の掲示板を用いて一括して住人に連絡することが可能となり、業務の効率化を図れるという優れた利点を有する。
【０００４】
ところで、このようなネットワーク環境では、前記情報端末にメールクライアント機能を設けてなる構内通信システムも存在する。この場合、メールサーバにおいて外部のネットワークから送信された電子メールをスプールするようになっており、通常ＰＯＰ（Post Office Protocol）またはＩＭＡＰ（Internet Message Access Protocol）などのプロトコルを用いて、電子メールの受信または送受信が行われることになる。これらＰＯＰやＩＭＡＰといったプロトコルは、ＴＣＰ／ＩＰのプロトコルを利用してメールクライアント側から電子メールをスプールしているメールサーバに問い合わせを行いメッセージを取得するようになっている。
【０００５】
このように、構内通信システムでは、建物内各所に設けた情報管理端末で、来客映像などの情報や電子メールや電子掲示板の情報を取得し表示することができるようになっており、とても使い勝手の良いものとなっている。
【特許文献１】特開２００１−２６５９４３号公報
【発明の開示】
【発明が解決しようとする課題】
【０００６】
しかしながら、各住戸に対して上述のような種々のサービスを提供するにあたり、前記サーバ装置では映像データや制御データなどによる通信がかなり集中することが想定される。特に、前述したＰＯＰやＩＭＡＰを用いた電子メールの仕組みにおいては、情報管理端末に設けた各メールクライアントがメールサーバとなるサーバ装置に新着メールが到着していないかを定期的に問い合わせることになり、各住戸からの要求が頻発することになる。これらの要求を情報管理端末などのクライアント側に自由に許可したのでは、サーバ装置側では各住戸からの要求が集中し、最悪の場合輻輳が生じることも予想される。このようなときにおいては、例えば情報管理端末で表示される来客映像などでコマ落ちなどが発生することになる。また、電子掲示板の情報などに関しても、各住戸からのアクセス要求が集中すれば当然サーバ装置の負担が増大することになる。
【０００７】
本発明は、かかる事由に鑑み、電子メールや掲示板情報の利用における利用者の利便性を向上させるとともに、ネットワークにおける輻輳を軽減する構内通信システムを提供するものである。
【課題を解決するための手段】
【０００８】
請求項１に記載の構内通信システムは、集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には、構内ネットワークの帯域情報を管理する機能を備え制御動作を規定した帯域制御規則に基づき帯域制御を行う帯域制御手段と、電子メールの送受信にかかるメールサーバ手段と、新着メールが到着すると宛先となる情報管理端末に電子メールの到着を知らせる新着メールイベント通知手段とを備えてなり、帯域制御手段は、新着メールが到着すると、新着メールイベントを宛先となる情報管理端末に通知する前に、ネットワークの現帯域情報を参照し、帯域制御規則に基づき帯域が或る限界値以上になった場合は、新着メールを送信してきた前記情報管理端末の通信要求を拒否することにより、使用帯域を制限するものであり、情報管理端末から定期的に電子メールの到着をメールサーバ手段に問い合わせずに、帯域制御手段から情報管理端末へ新着メールイベントを通知することを特徴とするものである。
【０００９】
また、請求項２に記載の構内通信システムは、集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には、構内ネットワークの帯域情報を管理する機能を備え制御動作を規定した帯域制御規則に基づき帯域制御を行う帯域制御手段と、構内で情報を共有する掲示板情報を表示するためのＨＴＴＰサーバ手段と、掲示板情報が更新されると宛先となる情報管理端末に掲示板情報の更新を知らせる掲示板更新イベント通知手段とを備えてなり、帯域制御手段は、掲示板情報がサーバ装置でアップロードされると、掲示板更新イベントを宛先となる情報管理端末に通知する前に、ネットワークの現帯域情報を参照し、帯域制御規則に基づき帯域が或る限界値以上になった場合は、掲示板閲覧を要求する前記情報管理端末の通信要求を拒否することにより、使用帯域を制限するものであり、掲示板更新の成否を掲示板更新イベント通知手段に情報管理端末から定期的に問い合わせずに、帯域制御手段から情報管理端末へ掲示板更新イベントを通知することを特徴とするものである。
【００１０】
また、請求項３に記載の構内通信システムは、請求項１または２記載の発明において、前記情報管理端末に、イベントを受信するイベント受信手段と、到着したイベントを解析し報知するイベント報知手段とを設け、前記新着メールイベント通知手段または前記掲示板更新イベント通知手段により新着メールイベントまたは掲示板更新イベントが通知されると、情報管理端末は到着したイベントを解析しそのイベントの情報を報知することを特徴とするものである。
【００１１】
また、請求項４に記載の構内通信システムは、請求項１乃至３の構内通信システムであって、サーバ装置には、構内ネットワークの帯域情報を管理する機能を備え制御動作を規定した帯域制御規則に基づき帯域制御を行う帯域制御手段と、時刻情報を送信する時刻情報送信手段とを備えるとともに、情報管理端末には時刻情報に基づき時刻を調整する時刻調整手段を備えてなり、前記時刻情報送信手段は、時刻情報を宛先となる情報管理端末に送信する前に、ネットワークの現帯域情報を参照し、帯域制御規則に基づき帯域が或る限界値以上になった場合は、その時刻情報の通信を中止することにより、使用帯域を制限することを特徴とするものである。
【００１２】
また、請求項５に記載の構内通信システムは、請求項１乃至４の構内通信システムであって、サーバ装置には、構内ネットワークの帯域情報を管理する機能を備え制御動作の優先度を規定した帯域制御規則と検査コマンド送信手段を備えるとともに、情報管理端末には端末内の動作を検査する自己検査手段とを備えてなり、前記検査コマンド送信手段は、検査コマンドを宛先となる情報管理端末に送信する前に、ネットワークの現帯域情報を参照し、帯域制御規則に基づき帯域が或る限界値以上になった場合は、検査コマンドの通信を中止することにより、使用帯域を制限することを特徴とするものである。
【００１３】
またさらに、請求項６に記載の構内通信システムは、集合住宅等の建物構内に敷設される構内ネットワークを介して、この構内ネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、
サーバ装置には、構内ネットワークの帯域情報を管理する機能を備え制御動作を規定した帯域制御規則に基づき帯域制御を行う帯域制御手段と、電子メールの送受信にかかるメールサーバ手段と、新着メールが到着すると宛先となる情報管理端末に電子メールの到着を知らせる新着メールイベント通知手段と、構内で情報を共有する掲示板情報を表示するためのＨＴＴＰサーバ手段と、掲示板情報が更新されると宛先となる情報管理端末に掲示板情報の更新を知らせる掲示板更新イベント通知手段と、時刻情報を送信する時刻情報送信手段と、検査コマンド送信手段と、を備え、情報管理端末には、時刻情報送信手段から得られる時刻情報に基づき時刻を調整する時刻調整手段と、端末内の動作を検査する自己検査手段とを備えてなり、帯域制御手段は、新着メールが到着すると、ネットワークの現帯域情報を参照するとともに、帯域制御規則に基づき新着メールイベントを宛先となる情報管理端末に通知するのみならず、さらに、情報管理端末から定期的に電子メールの到着をメールサーバ手段に問い合わせずに、帯域制御手段から情報管理端末へ新着メールイベントを通知するものであり、掲示板更新イベント通知手段は、掲示板情報がサーバ装置でアップロードされると、ネットワークの現帯域情報を参照するとともに、帯域制御規則に基づき掲示板更新イベントを宛先となる情報管理端末に通知するのみならず、さらに、掲示板更新の成否を掲示板更新イベント通知手段に情報管理端末から定期的に問い合わせずに、帯域制御手段から情報管理端末へ掲示板更新イベントを通知するものであり、前記時刻情報送信手段は、時刻情報を送信する前にネットワークの現帯域情報を参照するとともに、前記帯域制御規則に基づいて時刻情報を送信するものであって、前記検査コマンド送信手段は、検査コマンドを送信する前にネットワークの現帯域情報を参照するとともに、前記帯域制御規則に基づいて検査コマンドを送信するものであり、前記帯域制御規則として、情報管理端末宛てに配信する情報であるユーザー系イベントと、サーバ装置で発行するコマンドに含まれる情報であるサーバー系イベントと称する２種の規則化済みのイベント体系を記憶しており、ユーザー系イベントとしては、火災感知器で感知した火災感知情報を基にした火災感知イベントを、最優先イベントである第一優先度のイベントとし、第一優先度のイベントの次点の優先度を与える第二優先度のイベントを、ドアホンによる来客報知イベントとし、第二優先度のイベントの次点の優先度を与える第三優先度のイベントを、構内のロビーに設置される監視カメラによる監視カメラ映像イベントと、棟内での前記情報管理端末どうしの間のチャットによるチャットイベントとし、第三優先度のイベントの次点の優先度を与える第四優先度のイベントを、掲示板を閲覧したい旨の掲示板閲覧イベントと、電子メールを閲覧したい旨の電子メール閲覧イベントとし、第四優先度のイベントの次点の優先度を与える第五優先度のイベントを、インターネットを使用したい旨のインターネット閲覧イベントとし、サーバー系イベントとしては、前記第三優先度と同じ優先度として、サーバー装置に新着メールイベントが到着したことをあらわす新着メールイベントを、前記第四優先度と同じ優先度として、掲示板情報が更新されたことをあらわす掲示板更新イベントと、検査コマンドを発行する旨の検査コマンドイベントと、時刻を調整する旨の時刻調整イベントとの各種イベントを、それぞれ設定されており、帯域制御手段は、上記各種イベントを宛先となる情報管理端末に送信する前に、ネットワークの現帯域情報を参照し、帯域制御規則に基づき帯域が或る限界値以上になった場合は、第一優先度から第五優先度までの優先順位に基づき、既に通信中のイベントに比べて新たなイベントの優先順位が高ければ、当該新たなイベントを実行する一方で、既に通信中のイベントに比べて新たなイベントの優先順位が等しいもしくは低ければ、当該新たなイベントの実行を拒否又は延期することにより、使用帯域の限界値超過を防止することを特徴とする。
【発明の効果】
【００１４】
上記のように本発明に係る請求項１に記載の構内通信システムにあっては、集合住宅等の建物構内に敷設されるネットワークを介して、このネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には、制御動作を規定した帯域制御規則に基づき帯域制御を行う帯域制御手段と、電子メールの送受信にかかるメールサーバ手段と、新着メールが到着すると宛先となる情報管理端末に電子メールの到着を知らせる新着メールイベント通知手段とを備えてなり、新着メールが到着すると、ネットワークの現帯域情報を参照するとともに、帯域制御規則に基づき新着メールイベントを宛先となる情報管理端末に通知するようにしたもので、情報管理端末から問い合わせをしなくとも新着メールが到着すると通知されるようになっているので、電子メールにおける利用者の利便性を向上させるとともに、ネットワークにおける輻輳を軽減する構内通信システムを提供することが可能となるという効果を奏する。
【００１５】
また、請求項２に記載の構内通信システムにあっては、集合住宅等の建物構内に敷設されるネットワークを介して、このネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には、制御動作を規定した帯域制御規則に基づき帯域制御を行う帯域制御手段と、構内で情報を共有する掲示板情報を表示するためのＨＴＴＰサーバ手段と、掲示板情報が更新されると宛先となる情報管理端末に掲示板情報の更新を知らせる掲示板更新イベント通知手段とを備えてなり、掲示板情報がサーバ装置でアップロードされると、ネットワークの現帯域情報を参照するとともに、帯域制御規則に基づき掲示板更新イベントを宛先となる情報管理端末に通知するようにしたもので、情報管理端末から問い合わせをしなくとも掲示板情報が更新されると通知されるようになっているので、掲示板情報の利用における利便性を向上させるとともに、ネットワークにおける輻輳を軽減する構内通信システムを提供することが可能となるという効果を奏する。
【００１６】
また、請求項３に記載の構内通信システムにあっては、請求項１または２記載の発明において、前記情報管理端末に、イベントを受信するイベント受信手段と到着したイベントを解析し報知するイベント報知手段とを設け、前記新着メールイベント通知手段または前記掲示板更新イベント通知手段により新着メールイベントまたは掲示板更新イベントが通知されると、情報管理端末は到着したイベントを解析しそのイベントの情報を報知するようにしたもので、情報管理端末から要求を送信しなくとも新着メールや掲示板更新といった情報が通知されるという効果を奏する。
【００１７】
また、請求項４に記載の構内通信システムにあっては、集合住宅等の建物構内に敷設されるネットワークを介して、このネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には、制御動作を規定した帯域制御規則に基づき帯域制御を行う帯域制御手段と時刻情報を送信する時刻情報送信手段とを備えるとともに、情報管理端末には時刻情報に基づき時刻を調整する時刻調整手段を備えてなり、前記時刻情報送信手段は、時刻情報を送信する前にネットワークの現帯域情報を参照するとともに、前記帯域制御規則に基づいて時刻情報を送信するようにしたもので、サーバ側で調整間隔を指定することができる上に、ネットワークの帯域使用状況に応じて時刻情報送信のタイミングを決定できるので、システム内の各機器における時刻調整をすることができるとともにネットワークにおける輻輳を軽減する構内通信システムを提供することが可能となるという効果を奏する。
【００１８】
また、請求項５に記載の構内通信システムにあっては、集合住宅等の建物構内に敷設されるネットワークを介して、このネットワークにおける帯域情報を管理する帯域制御機能を有してなるサーバ装置と建物各所に設置される情報管理端末とを接続し、ＩＰプロトコルを用いてデジタル多重伝送を行うようにした構成の構内通信システムであって、サーバ装置には制御動作の優先度を規定した帯域制御規則と検査コマンド送信手段を備えるとともに、情報管理端末には端末内の動作を検査する自己検査手段とを備えてなり、前記検査コマンド送信手段は、検査コマンドを送信する前にネットワークの現帯域情報を参照するとともに、前記帯域制御規則に基づいて検査コマンドを送信するようにしたもので、サーバ側で検査間隔を指定することができる上に、ネットワークの帯域使用状況に応じて検査コマンド送信のタイミングを決定できるので、システム内の各機器における故障検査をすることができるとともにネットワークにおける輻輳を軽減する構内通信システムを提供することが可能となるという効果を奏する。
【００１９】
さらに、請求項６記載の構内通信システムにあっては、最も緊急性を要する火災感知イベントを最優先イベントとしたものであって、さらに、上記請求項１乃至５の各別の効果を総合した、包括的な効果を奏するのである。
【発明を実施するための最良の形態】
【００２０】
以下、本発明の一実施の形態を図１に基づいて説明する。図１は、本発明の一実施形態に係る構内通信システムの構成図であり、図２は、サーバ装置のブロック図である。また図３は、情報管理端末のブロック図である。
【００２１】
本実施形態は、図１に示すように、複数棟からなる集合住宅に設置されるマンションＨＡ（Home Automation）システムに適用したもので、マンション構内の各住戸にまで敷設された１００ＢＡＳＥ−Ｔや１０ＢＡＳＥ−Ｔ仕様のネットワークの信号線Ｌに、各棟Ｘ１・・を統括して管理する管理人室Ｋに設けられるサーバ装置１と、各住戸Ｈに設けられる情報管理端末２、ドアホン子機３、センサ４と、ロビーＬＢに設けられるロビーインターホン５及び共用部カメラ６とが接続され構成される。そして、その構内ネットワークの信号線Ｌを分岐するために棟内に設けられたハブ７、そして、各棟Ｘ１・・内の構内通信システムのネットワークを接続するとともにサーバ装置１とのルーティングを行うためのルータ８、そのルータ８に対して外部へのゲートウェイとなるサーバ装置１を接続するハブ９などのネットワーク機器が接続されて構成される。また、この構内通信システムは、外部の公衆網ＰＴに対してはサーバ装置１を介して接続されており、インターネットＩＮには、公衆網ＰＴ上にアクセスポイントを設けたインターネット接続業者ＩＳＰを通じて接続されることになる。
【００２２】
この構成により、ロビーインターホン５や共用部カメラ６での情報がサーバ装置１にＩＰプロトコルを用いたデジタル多重伝送により伝達されるとともに、来客映像などの撮像された映像がマンション内に敷設された構内ネットワークの信号線Ｌを介して各住戸にまでデジタル多重伝送されるので、住戸内の情報管理端末２にてその映像情報を確認することができる。また、各住戸内のセンサ４で取得される情報は、構内ネットワークの信号線Ｌを介してサーバ装置１に伝送されるので、住戸内の警報イベントがサーバ装置１に通報されることとなる。
【００２３】
本実施形態に用いる構内通信システムの各機器の構成と機能について、以下に説明する。
【００２４】
サーバ装置１は、マンションの管理人室などに設置される装置であり、図２に示すように、マンション内のネットワークの信号線ＬとのインターフェースとなるネットワークＩ／Ｆ部１０、公衆回線網とのインターフェースとなる公衆網Ｉ／Ｆ部１１、各住戸のアドレス情報などを記憶する記憶部１２、時刻調整に用いる計時部１３、それら各部を制御する制御部１４とから構成され、構内通信システムの構内ネットワークにおける帯域を制御したり、公衆網ＰＴ及びインターネットＩＮへの接続管理をしたり、各住戸における警報イベントを監視を行う。
【００２５】
ネットワークＩ／Ｆ部１０は、ＬＡＮボード等にて構成されるもので、構内通信システムのネットワークにおけるＩＰアドレスが割り振られており、ＩＰプロトコルを用いたデジタル多重伝送による通信が行われる。
【００２６】
公衆網Ｉ／Ｆ部１１は、ＤＳＵ（Digital Service Unit）等にて構成されるもので、外部のネットワークに合わせた伝送を行う。この公衆網Ｉ／Ｆ部１１は、公衆網ＰＴを介してインターネットＩＮと接続されるもので、ＩＳＤＮやＡＤＳＬ、光ファイバーなど外部のネットワークの媒体にあわせたものが利用されることになる。
【００２７】
記憶部１２は、ＲＡＭやＲＯＭにて構成されるものであり、後述する制御部１４での機能を実現するための処理プログラムを格納するとともに、各住戸のＩＰアドレスなどのアドレス情報、マンション内にどのような種類の機器が接続されているかを示す機器情報、そして、図４に示すような、ネットワークの帯域をどのように使用するかなどの制御動作の優先度を定めた帯域制御規則などの情報を格納する。
【００２８】
計時部１３は、ネットワーク内の各機器の時刻の同期をとるためのものであり、後述するように、住戸内の情報管理端末２に対して時刻情報を送信する際に用いられる。
【００２９】
制御部１４は、マイクロコンピュータにて構成されるもので、帯域制御機能、接続管理機能、警報監視機能、メールサーバ機能、ＨＴＴＰサーバ機能、時刻情報送信機能、検査コマンド送信機能を有してなる。これら機能は、各処理プログラムにて実現されることになる。
【００３０】
帯域制御機能は、構内ネットワークの帯域情報を管理する機能であり、各機器から送信される通信要求コマンドによって使用帯域を管理し、帯域が或る限界値以上になった場合は、通信要求を拒否することにより、使用帯域を制限する。
【００３１】
接続管理機能は、構内ネットワークと外部のネットワークを中継するための機能であり、外部のＩＰアドレスへのパケットを受信した場合、通信データを変換し、公衆網Ｉ／Ｆ部１１より他のゲートウェイやインターネット接続業者ＩＳＰのアクセスポイントへ接続し、音声情報、映像情報、相手先電話番号或いはＩＰアドレスのデータ等を転送することになる。また、公衆網Ｉ／Ｆ部１１を介して外部のネットワークから通信データを受信した場合は、信号を変換解析し、記憶部１２のアドレス情報を参照し、ネットワークＩ／Ｆ部１０を介して構内通信システムの構内ネットワークに接続された各機器へデータを転送することになる。
【００３２】
警報監視機能は、各住戸において監視される警報を管理するための機能であり、情報管理端末２からの火災発生や非常通報に対応する警報イベントを受信した場合に、記憶部１２に予め登録されている各情報管理端末２のネットワークＩ／Ｆ部２０のＩＰアドレス情報を参照し、他の複数の住戸の情報管理端末２への警報用報知コマンド情報をマルチキャスト通信する。
【００３３】
メールサーバ機能は、電子メールの保存や送受信にかかる機能であり、公衆網Ｉ／Ｆ１１を介して外部ネットワークから送信される電子メールを受信し記憶部１２に設けられたメールボックスに保存するようになっており、情報管理端末２に搭載されたメールクライアントからの要求に応じて適宜受け渡されることになる。これら電子メールは、ネットワークＩ／Ｆ１０を介して構内ネットワークから送信されるものも含まれる。また、新着メールがメールサーバに到着した場合、現在の帯域情報を参照するとともに、記憶部１２に記憶された帯域制御規則に基づいて、新着メール到着イベントを適宜宛て先となる情報管理端末２へ通知するようになっている。なお、その際のメッセージ構成は、図５(Ａ)に示すようなものになっている。
【００３４】
ＨＴＴＰサーバ機能は、住戸の情報管理端末２に搭載されたＷＥＢブラウザ等のリクエストに応答するための機能であり、該当するＷＥＢコンテンツを記憶部１２から読み出し返答する。この場合、ＷＥＢコンテンツは掲示板情報として利用されるＨＴＭＬファイルであり、構内通信システムの管理者により作成及び更新される。また、掲示板情報となるＨＴＭＬファイルがサーバ装置１で更新されアップロードされると、現在の帯域情報を参照するとともに、記憶部１２に記憶された帯域制御規則に基づいて掲示板更新イベントをマンション内の情報管理端末２へ通知するようになっている。なお、その際に送信されるメッセージ構成は、図５(Ａ)に示すようなものになっている。
【００３５】
時刻情報送信機能は、構内通信システム内の時刻の同期をとるための機能であり、住戸内の情報管理端末２に対して時刻情報を送信するために用いられる。なお、その際のメッセージ構成は、図５(Ｂ)に示すようなものになっている。
【００３６】
検査コマンド送信機能は、各住戸内の情報管理端末２に対して検査コマンドを送信するための機能であり、この検査コマンドを受けた情報管理端末２は、接続された機器が正常に動作するかを検査したり、メモリチェックなどが行われることになる。なお、その際に送信されるメッセージ構成は、図５(Ｃ)に示すようなものになっている。
【００３７】
情報管理端末２は、住戸内で扱う情報を統括的に管理するための情報機器であり、主な機能として、ドアホン子機３からの来客映像の表示やセンサ４からの警報イベントの通知、そして、電子メールの作成や送受信などの機能を備えるものである。この情報管理端末２は、図３のブロック図に示すように、ネットワークＩ／Ｆ部２０、ドアフォンＩ／Ｆ部２１、センサＩ／Ｆ２２、記憶部２３、表示部２４、映像処理部２５、音声入出力部２６、音声処理部２７、操作部２８、制御部２９から構成される。
【００３８】
ネットワークＩ／Ｆ部２０は、サーバ装置１におけるネットワークＩ／Ｆ部１０と同様にＬＡＮカード等にて構成されるもので、構内通信システムのネットワークにおけるＩＰアドレスが割り振られており、ＩＰプロトコルを用いたデジタル多重伝送による通信が行われる。
【００３９】
ドアフォンＩ／Ｆ部２１は、ドアホン子機３との映像信号、音声信号の送受信を行うもので、後述する表示部２４にて映像の情報が表示される。また、音声の情報は、後述する音声入出力部２６にて出力されるので、ドアホン子機３との通話が可能となる。
【００４０】
センサＩ／Ｆ部２２は、センサ４からの警報イベントの警報検出信号の検出を行う。警報検出信号が検出されると、警報イベントが発生したことを表示部２４にて表示するとともに、ネットワークＩ／Ｆ部２０を介してサーバ装置１にその警報イベントが通知される。
【００４１】
記憶部２３は、ＲＡＭやＲＯＭにて構成されるものであり、後述する制御部２９での機能を実現するための処理プログラムを格納するとともに、映像情報や音声情報を記憶するものである。
【００４２】
表示部２４は、後述する映像処理部２５からのアナログ映像信号の画面出力を行うモニタを構成するものであり、例えば図６のように表示される。
【００４３】
映像処理部２５は、ビデオボード等にて構成されるもので、ネットワークＩ／Ｆ部２０より受信され制御部２９でアンパケットされた映像情報、又は記憶部２３に予め保存されている警報用の映像情報を復号化、Ｄ／Ａ変換によるアナログ映像信号への変換を行う。
【００４４】
音声入出力部２６は、アナログ音声信号の入出力をマイク及びスピーカとで音声通話のための音声の入出力を行う。
【００４５】
音声処理部２７は、制御部２９でアンパケットされた音声情報、または記憶部２３に予め保存されている警報用の音声情報の復号化、Ｄ／Ａ変換によるアナログ音声信号への変換を行うとともに、音声入出力部２６より入力したアナログ音声信号のＡ／Ｄ変換、符号化を行って制御部２９へ渡す。
【００４６】
操作部２８は、タッチパネル等にて構成されるもので、入力される文字や選択されたコマンドなどの入力情報が制御部２９へ渡されることになる。
【００４７】
制御部２９は、マイクロコンピュータにて構成されるもので、各部の統括を行う。また、この制御部２９は、メールクライアント機能とＨＴＴＰクライアント機能、時刻調整機能、自己検査機能を有してなる。
【００４８】
メールクライアント機能は、ＭＵＡ(Mail User Agent)と呼ばれるような機能であり、電子メールの読み書きや、サーバ装置１に備えられたメールサーバへの送信及びメールサーバに設けられた自分のメールボックスからのメールの受信などを行う。ただし、新着メールの到着は、サーバ装置１から新着メール到着イベントとして通知されるので、定期的にメールサーバに問い合わせる必要はないようになっている。なお、新着メールイベントを受信した場合、図７の画面例に示すような表示が行われる。
【００４９】
ＨＴＴＰクライアント機能は、インターネットＩＮなどのネットワーク上のＨＴＴＰサーバーに蓄積されたＨＴＭＬ形式のファイルを閲覧するための機能である。この場合、マンション内のサーバ装置１はＨＴＴＰリクエストに応答するためのＨＴＴＰサーバの機能を備えるとともに、その記憶部１２に掲示板情報となるＷＥＢコンテンツが用意されている。したがって、この情報管理端末２から、掲示板情報が位置するＵＲＬを指定することにより、掲示板情報を閲覧することができるようになっている。なお、掲示板更新イベントを受信した場合、図８の画面例に示すような表示が行われる。
【００５０】
時刻調整機能は、構内通信システム内の各機器の時刻の同期をとるための機能であり、サーバ装置１から送出される時刻情報のメッセージを解析し同期を取るようになっている。
【００５１】
自己検査機能は、接続された機器が正常に動作するかを検査する機能であり、サーバ装置１から送出される検査コマンドを受信すると、その処理プログラムが動作することになる。この場合、ドアホン子機３やセンサ４に対して、正常動作をしているかどうかの確認コマンドを送出することになる。ここで異常があった場合はその旨が返答されることになり、表示部２４にて表示される。また、使用しているメモリ領域が正常かどうかの確認なども行われることになる。
【００５２】
ドアホン子機３は、正面にカメラが付設されてなるカメラ付きドアホンであり、住戸内の情報管理端末２にカメラ前の来客者にかかる映像信号を送信するとともに音声信号を送受信する。
【００５３】
センサ４は、火災センサや非常用押釦などの各住戸で設置されるセンサであり、警報イベントを発生し情報管理端末２に通知する。この場合、センサ４は、センサＩ／Ｆ部２２を介して情報管理端末２にイベントを通知する。また最終的に警報イベントは、サーバ装置１に通知され、通知を受けたサーバ装置１は、警報が発生した住戸以外の各住戸の情報管理端末２への警報イベント情報をマルチキャスト通信にて通知することになる。
【００５４】
ロビーインターホン５は、情報管理端末２と同様に映像や音声を通信する機能を有してなる。このロビーインターホン５での映像は、本体正面に取付けられたカメラから撮像されキャプチャーされる。このカメラにてキャプチャーされたアナログ映像信号はＡ／Ｄ変換と符号化が行われ、そして符号化された映像情報がパケット化され、ＩＰプロトコルによるデジタル多重パケット伝送にて構内ネットワークの信号線Ｌに送信されるようになっている。また、ロビーインターホン５での来客情報は、最初にサーバ装置１に伝えられることになっており、サーバ装置１では来客情報にかかる部屋番号の情報を抽出し、対応する住戸のＩＰアドレスに変換することで、来客があることを呼び出し先である住戸の情報管理端末２に通知するようになっている。
【００５５】
共用部カメラ６は、監視カメラ等の目的で使用されるもので、この場合共用部となるロビーＬに設置される。この共用部カメラ６は、音声情報の通信機能は持たず、映像情報の送信機能のみを持ち、通信要求コマンドによる映像配信要求があるとその映像情報を一定時間毎に要求元に配信するようになっている。なお、映像情報に関する通信処理はロビーインターホン５と同様に行われる。
【００５６】
以下に、構内通信システムにおける動作について、図９及び図１０を用いて説明する。サーバ装置１では、ユーザ側からリクエストされる通常処理として、帯域制御機能、接続管理機能、警報監視機能、メールサーバ機能、ＨＴＴＰサーバ機能、来客報知機能などがマルチタスク処理で実現されている。これらの処理に対して割り込みとなる本発明に係るイベントに、新着メールイベント通知、掲示板更新イベント通知、検査コマンド送信、時刻情報送信といったサーバ系のイベントが存在することになる。これらの処理のうちメールサーバの処理について説明を行う。
【００５７】
図９は、サーバ装置１におけるメールサーバ機能の処理の流れを示している。メールサーバ機能では、通常電子メール受信待ち状態になっている（ＳＴ１）。この状態で、電子メールが受信された場合、それが自己内宛ての電子メールかどうか判断される。自己宛ての電子メールでなかった場合、その電子メールを他のメールサーバに送信してメール受信待ち状態へ戻る（ＳＴ２）。自己内宛ての電子メールであった場合、受信処理が行われる（ＳＴ３）。
【００５８】
受信処理（ＳＴ３）では、サーバ装置１の記憶部１２に設けられたメールボックスに、その電子メールを格納することになる。また、新着メールがあることを宛先となる情報管理端末に通知する新着メールイベント通知処理が行われることになる。ここではまず、現在のネットワークにおける帯域情報が参照される（ＳＴ４）。帯域が混雑していた場合、再びメール受信待ち状態に戻る。帯域に空きがある場合、新着メールイベント通知などのイベント処理（ＳＴ５）が行われることになる。このようにして、クライアントとなる情報管理端末２から問い合わせをしなくとも、電子メールの到着を知らせることができる。
【００５９】
次に、サーバ系のイベントの実行の手順と帯域制御方法と手順との関係を、図１０に示すフローチャートを用いて説明する。通常、サーバ装置１内ではマルチタスク処理により通常処理が行われている（Ｓ１）。この状態で、上記のサーバ系のイベントが発生すると（Ｓ２）、まず記憶部１２に格納された帯域情報が取得される（Ｓ３）。そのあと、空き帯域があるかどうか確認され（Ｓ４）、空き帯域がある場合は、実行すべきイベントに応じた帯域が記憶部１２の帯域情報に登録され（Ｓ５）、上記のサーバ装置１で発生した各イベント処理が実行される（Ｓ６）。また、処理が終了後は、帯域情報が更新されるとともに帯域が開放されることになる（Ｓ７）。
【００６０】
一方、空き帯域がない場合は（Ｓ４）、その実行すべきイベントと、現在サーバ装置１で実行されているタスクとの優先度の比較が行われる（Ｓ８）。このサーバ装置１はマルチタスク処理が可能となっているので、実行すべきイベントより優先度が低いタスクがある場合、そのままそのイベント処理は実行される（Ｓ９）。なお、実行すべきイベントより優先度が低いタスクがない場合は、そのイベントは無視されて通常処理へ戻ることになる。（Ｓ１０）。
【００６１】
具体例を挙げて説明する。図４に示す帯域制御規則に従えば、レベル５なる最下位の優先度であるインターネット閲覧により帯域が占有されているときに電子メールの新着メールイベントが発生した場合、新着メールイベントはレベル３の優先度であるため、そのまま新着メールイベントが優先され新着メールイベント通知が行われることになる。逆に、レベル３の優先度である監視カメラ映像にて帯域が占有されているときに掲示板更新のイベントが発生した場合、掲示板更新イベントはレベル４なる下位の優先度であるから、所定の時間待ち状態になるとともに、他のタスクの終了を待つことになる。所定の時間待っても空き領域が生じなかった場合、通常処理（Ｓ６）へ戻ることになる。
【００６２】
このように、電子メールや掲示板の更新といったイベントは、クライアントとなる情報管理端末２からサーバ装置１に対して、帯域の使用状態に応じて通知されるものであるので、クライアントとなる情報管理端末２から定期的にサーバ装置１にアクセスされることで帯域を使用されるといったことがないので、電子メールや掲示板情報の利用における利便性を向上させるとともに、ネットワークにおける輻輳を軽減することができる。
【００６３】
なお、本発明の構内通信システムは、上述したもののみ限定されるものではなく、例えば、病院、学校、または事務所に適用するなど、本発明の要旨を逸脱しない範囲内において種々変更を加え得ることは勿論である。
【図面の簡単な説明】
【００６４】
【図１】本発明の一実施の形態に係る構内通信システムのシステム構成図である。
【図２】同上に用いるサーバ装置のブロック図である。
【図３】同上に用いる情報管理端末のブロック図である。
【図４】同上に用いる帯域制御規則の例を示す説明図である。
【図５】同上に用いるメッセージ構成例を示す説明図である。
【図６】同上における情報管理端末の画面例を示す説明図である。
【図７】同上における情報管理端末の新着メールイベント受信時の画面例を示す説明図である。
【図８】同上における情報管理端末の掲示板更新イベント受信時の画面例を示す説明図である。
【図９】同上に用いるサーバ装置のメールサーバ機能を説明する状態遷移図である。
【図１０】同上に用いるサーバ装置の各種イベントの処理を説明するフローチャートである。
【符号の説明】
【００６５】
１  サーバ装置
２  情報管理端末
１４  帯域制御手段（制御部）
１４  メールサーバ手段（制御部）
１４  新着メールイベント通知手段（制御部）
１４  ＨＴＴＰサーバ手段（制御部）
１４  掲示板更新イベント通知手段（制御部）
２９  イベント受信手段（制御部）
２９  イベント報知手段（制御部）
１４  時刻情報送信手段（制御部）
１４  時刻調整手段（制御部）
１２  帯域制御規則（記憶部）
１４  検査コマンド送信手段（制御部）
２９  自己検査手段（制御部）
【図１】
2008295095.tif 000003
【図２】
2008295095.tif 000004
【図３】
2008295095.tif 000005
【図４】
2008295095.tif 000006
【図５】
2008295095.tif 000007
【図６】
2008295095.tif 000008
【図７】
2008295095.tif 000009
【図８】
2008295095.tif 000010
【図９】
2008295095.tif 000011
【図１０】
2008295095.tif 000012